(57)【要約】      （修正有）【課題】電子ラベル技術に基づく野外医療設備の搬送と使用を簡便にし、医療救援作業効率を高める携帯型医療救護作業箱を提供する。【解決手段】筐体１と箱蓋２を含み、箱蓋２の一側面が筐体１と回転接続され、他の側面が筐体１と取外し可能に接続され、筐体１の外側に持手部１４を有し、筐体１に引手と車輪を有する、携帯型医療救護作業箱であって、電子ラベル技術に基づくものであり、筐体１が少なくとも一面開口の外殻、及び外殻内に嵌合される収納槽層を含み、筐体１にデータコード固定装置を有し、筐体１と箱蓋２の連結部に密封装置を有し、筐体１の収納槽層内に携帯型モバイルオペレーション端末３収納槽、医療オペレーション端末４収納槽、移動オペレーション端末５収納槽、及びラベルプリンター６収納槽をそれぞれ有し、筐体１内に位置する充電装置をさらに含む。【選択図】図１
0003215883.tif 000002
【実用新案登録請求の範囲】
【請求項１】
筐体と箱蓋を含み、
前記箱蓋の一側面が前記筐体と回転接続され、他の側面が前記筐体と取外し可能に接続され、
前記筐体の外側に持手部を有し、前記持手部が前記筐体と回転接続され、
前記筐体に引手を有し、前記筐体の底部の前記持手部から離れた一側面に車輪を有する、携帯型医療救護作業箱であって、
電子ラベル技術に基づくものであり、
前記筐体が少なくとも一面開口の外殻、及び前記外殻内に嵌合される収納槽層を含み、
前記筐体にデータコード固定装置を有し、前記データコード固定装置外にシーリングカバーを有し、
前記筐体と前記箱蓋の連結部に密封装置を有し、
前記筐体の収納槽層内に携帯型モバイルオペレーション端末収納槽、医療オペレーション端末収納槽、移動オペレーション端末収納槽、及びラベルプリンター収納槽をそれぞれ有し、
前記収納槽層内に収納される携帯型モバイルオペレーション端末、医療オペレーション端末、及び移動オペレーション端末が全てサーバーと無線接続され、
ラベルプリンターが前記医療オペレーション端末と連結され得るように構成され、
前記筐体内に位置する充電装置をさらに含み、
前記充電装置が設備充電器と充電ケーブルを含み、前記設備充電器が前記筐体のデータコード固定装置の中に固定され、
前記医療オペレーション端末、携帯型モバイルオペレーション端末、移動オペレーション端末及びラベルプリンターの充電ケーブルがそれぞれ前記設備充電器と接続するように構成されることを特徴とする、
携帯型医療救護作業箱。
【請求項２】
前記筐体における前記箱蓋との接合部に凸起部を有し、
前記箱蓋に前記凸起部と対応する溝を有し、
前記溝内にシールリングを有することを特徴とする、
請求項１に記載の携帯型医療救護作業箱。
【請求項３】
前記筐体と箱蓋内部に保護層を有し、
前記収納槽層が前記保護層に設置され、前記保護層がシールリングと発泡材を含み、
前記シールリングが前記発泡材と前記作業箱の本体の接触部に設置されることを特徴とする、
請求項１に記載の携帯型医療救護作業箱。
【請求項４】
前記筐体に防水気圧バランスバルブをさらに有することを特徴とする、
請求項１に記載の携帯型医療救護作業箱。
【請求項５】
前記筐体と箱蓋外側の接合部の角部に補強リブを有することを特徴とする、
請求項１に記載の携帯型医療救護作業箱。
【請求項６】
前記箱蓋と前記筐体の外部にフランジを有することを特徴とする、
請求項１に記載の携帯型医療救護作業箱。
【請求項７】
前記箱蓋は第１箱蓋及び第２箱蓋を含み、
前記第１箱蓋と第２箱蓋がそれぞれ前記筐体の相対する両側と可動接続され、前記第１箱蓋と前記第２箱蓋が共に接して前記筐体と連結することを特徴とする、
請求項１に記載の携帯型医療救護作業箱。
【請求項８】
前記筐体と箱蓋の間の取外し可能な接続が可動式留具であり、
前記筐体と箱蓋の接合面と平行する面に沿って前記可動式留具の一側面にスルーホールを有する突出部を有し、
もう一方の側面にストッパーを有することを特徴とする、
請求項１に記載の携帯型医療救護作業箱。
【請求項９】
前記突出部上のスルーホールを有する部分の外側が鉄板に覆われていることを特徴とする、
請求項８に記載の携帯型医療救護作業箱。
【請求項１０】
前記充電ケーブルに伸縮できる延長コードを有することを特徴とする、
請求項１〜９のいずれかに一項に記載の携帯型医療救護作業箱。
【考案の詳細な説明】
【技術分野】
【０００１】
本実用新案は、作業箱の技術分野、特に携帯型医療救護作業箱に関する。
【背景技術】
【０００２】
野外の複雑な環境条件下では、医療救護の速さが傷病者医療救護の効果に至って重要である。従来の医療救援業務はすべて手作業であり、紙本医療記録及び紙本薬品ラベルに記入するため、処理速度が非常に遅く、管理し難いものである。また、紙本医療記録については、保存に不便であり、保存媒介が容易に損壊することによる情報遺失や、大量の紙を消費する等といった様々な短所が挙げられる。
【０００３】
電子医療記録に基づく医療オペレーションシステムは、医療業務のペーパーレス化、自動化、情報伝達の正確性と速さを図り、医療救護の効果を有効に保障できる。電子ラベル技術は無線電波信号により特定の目標物を認識し関連データの読み込むことができ、認識システムと特定の目標物との間に機械的或いは光学的な接触が不要であり、可視光線が不要であり、隠蔽性が高く、野外応急条件下で医療任務を執行する需要には更に適合するものである。したがって、電子ラベル技術に基いて情報化された医療救護システムは、野外条件下で医療人員が速やかに分類と救援業務を実施する需要に更に適してはいるが、情報化された医療救護システムに関する設備は一式となった補助設備が不足しているため、情報化医療設備の携帯と搬送が不便な原因となり、搬送過程で容易に塵や水が侵入し、または振動による医療設備の損壊によって、医療救護業務に影響をきたす。
【考案の概要】
【考案が解決しようとする課題】
【０００４】
本実用新案の目的は、電子ラベル技術に基づいた密封良好な携帯型医療救護作業箱を提供する。
【課題を解決するための手段】
【０００５】
上記目的を達成するため、本実用新案は、筐体と箱蓋を含み、前記箱蓋の一側面が前記筐体と回転接続され、他の側面が前記筐体と取外し可能に接続され、前記筐体の外側に持手部を有し、前記持手部が前記筐体と回転接続され、前記筐体に引手を有し、前記筐体の底部の前記持手部から離れた一側面に車輪を有する、携帯型医療救護作業箱であって、
電子ラベル技術に基づくものであり、前記筐体が少なくとも一面開口の外殻、及び前記外殻内に嵌合される収納槽層を含み、前記筐体にデータコード固定装置を有し、前記データコード固定装置外にシーリングカバーを有し、
前記筐体と前記箱蓋の連結部に密封装置を有し、
前記筐体の収納槽層内に携帯型モバイルオペレーション端末収納槽、医療オペレーション端末収納槽、移動オペレーション端末収納槽、及びラベルプリンター収納槽をそれぞれ有し、前記収納槽層内に収納される携帯型モバイルオペレーション端末、医療オペレーション端末、及び移動オペレーション端末が全てサーバーと無線接続され、ラベルプリンターが前記医療オペレーション端末と連結され得るように構成され、
前記筐体内に位置する充電装置をさらに含み、前記充電装置が設備充電器と充電ケーブルを含み、前記設備充電器が前記筐体のデータコード固定装置の中に固定され、前記医療オペレーション端末、携帯型モバイルオペレーション端末、移動オペレーション端末及びラベルプリンターの充電ケーブルがそれぞれ前記設備充電器と接続することを特徴とする、携帯型医療救護作業箱を提供する。
【０００６】
好ましくは、前記筐体における前記箱蓋との接合部に凸起部を有し、前記箱蓋に前記凸起部と対応する溝を有し、前記溝内にシールリングを有する。
【０００７】
好ましくは、前記筐体と箱蓋内部に保護層を有し、前記収納槽層が前記保護層の上に設置され、前記保護層がシールリングと発泡材を含み、前記シールリングが前記発泡材と前記作業箱の本体の接触部に設置される。
【０００８】
好ましくは、前記筐体に防水気圧バランスバルブをさらに有する。
【０００９】
好ましくは、前記筐体と箱蓋外側の接合部の角部に補強リブを有する。
【００１０】
好ましくは、前記箱蓋と前記筐体の外部にフランジを有する。
【００１１】
好ましくは、前記箱蓋は第１箱蓋及び第２箱蓋を含み、前記第１箱蓋と第２箱蓋がそれぞれ前記筐体の相対する両側と可動接続され、前記第１箱蓋と前記第２箱蓋が共に接して前記筐体と連結される。
【００１２】
好ましくは、前記筐体と箱蓋の間の取外し可能な接続が可動式留具であり、前記筐体と箱蓋の接合面と平行する面に沿って前記可動式留具の一側面にスルーホールを有する突出部を有し、もう一方の側面にストッパーを有する。
【００１３】
好ましくは、前記突出部上のスルーホールを有する部分の外側が鉄板に覆われる。
【００１４】
好ましくは、前記充電ケーブルに伸縮できる延長コードを有する。
【考案の効果】
【００１５】
本実用新案が提供する前記携帯型医療救護作業箱は、以下のような有益な効果を提供できる。
１．  前記携帯型医療救護作業箱は電子ラベル技術の医療システムを統合し、一体化された医療システムに関する補助設備を提供し、情報化医療設備の携帯と搬送を簡便にし、野外の複雑な環境下での電子ラベル技術に基いた医療設備の使用を更に簡便にし、野外医療救護の効率を高める。
２．  前記筐体上の凸起部、前記箱蓋上の前記凸起部と対応する溝、前記溝内に嵌合されるシールリング、及び前記保護層によれば、前記携帯型医療救護作業箱の良好な密封性が保障され、搬送の途中で振動または環境の影響で大きな隙間が生じず、搬送過程で塵や水が侵入せず、医療設備に対してより良い保護作用が期待できる。
【図面の簡単な説明】
【００１６】
【図１】前記携帯型医療救護作業箱が開いている時の構造概略図。
【図２】図１の側面図。
【図３】前記携帯型医療救護作業箱が閉じている時の構造概略図。
【図４】本実用新案の実施例２の前記携帯型医療救護作業箱の構造概略図。
【考案を実施するための形態】
【００１７】
実施例１
図１、２に示すように、携帯型医療救護作業箱は、筐体１と箱蓋２を含み、前記箱蓋２の一側面が前記筐体１と回転接続され、他の側面が前記筐体１と取外し可能に接続され、前記筐体１の外側に持手部１４を有し、前記持手部１４が前記筐体１と回転接続され、前記筐体１上に引手１０を有し、前記筐体１の底部の前記持手部１４から離れた一側面に車輪９を有する。
【００１８】
前記携帯型医療救護作業箱の特徴は、電子ラベル技術に基づくものであり、前記筐体１が少なくとも一面開口の外殻、及び前記外殻内に嵌合される収納槽層を含み、前記筐体１にデータコード固定装置７を有し、前記データコード固定装置７外にシーリングカバーを有し、充電不要の時にシーリングカバーで覆い、作業箱の密封性を高めることができ、
前記筐体１と前記箱蓋２の連結部に密封装置を有し、
前記筐体１の収納槽層内に携帯型モバイルオペレーション端末３収納槽、医療オペレーション端末４収納槽、移動オペレーション端末５収納槽とラベルプリンター６収納槽をそれぞれ有し、前記収納槽層内に収納される携帯型モバイルオペレーション端末３、医療オペレーション端末４、移動オペレーション端末５が全てサーバーと無線接続され、ラベルプリンター６が前記医療オペレーション端末４と連結され得るように構成され、
前記筐体１内に位置する充電装置をさらに含み、前記充電装置が設備充電器と充電ケーブルを含み、前記設備充電器が前記筐体のデータコード固定装置の中に固定され、前記医療オペレーション端末４の充電ケーブル、携帯型モバイルオペレーション端末３の充電ケーブル、移動オペレーション端末５の充電ケーブル及びラベルプリンター６の充電ケーブルがそれぞれ前記設備充電器と接続する。
【００１９】
図１に示すように、前記筐体１における前記箱蓋２との接合部に凸起部を有し、前記箱蓋に前記凸起部と対応する溝を有し、前記溝内にシールリングを有することで、前記携帯型医療救護作業箱の良好な密封性が保障され、搬送過程で容易に塵や水が侵入しない。
【００２０】
前記筐体１と箱蓋２の内部に保護層を有し、前記収納槽層が前記保護層に設置され、前記保護層がシールリングと発泡材を含み、前記シールリングが前記発泡材と前記作業箱の本体の接触部に設置され、中の医療設備に対してより良い衝撃吸収保護作用を為し、振動による設備損壊や医療設備の精度への影響を防止する。
【００２１】
前記筐体１の収納槽のサイズは収める部品の大きさによって作製され、部品をはめ込むことが出来る。医療オペレーション端末４収納槽に収める医療オペレーション端末４、及び移動オペレーション端末５収納槽に収める移動オペレーション端末５は、タブレットであってもよい。ラベルプリンター６収納槽にラベルプリンター６が収められ、医療オペレーション端末４、及び移動オペレーション端末５に医療使用者端末が備えられ、ラベルプリンター６がＵＳＢにより医療オペレーション端末４と連結され得るように構成され、携帯型モバイルオペレーション端末３、医療オペレーション端末４、及び移動オペレーション端末５がＬＡＮにより外部支援プラットフォームサーバーと接続する。
【００２２】
携帯型モバイルオペレーション端末５は、患者情報の入力、分類に使われ、そして対応する電子ラベルリストバンドをスキャンし、患者情報及び対応する電子ラベルリストバンドの情報をサーバーに送信する。
【００２３】
医療オペレーション端末４は、サーバーからの患者情報及び対応する電子ラベルリストバンドの情報を受信し、患者の電子医療記録を生成して、患者情報の検索、照合及び分類に使用し、医療記録のペーパーレス化を実現する。また、ラベルプリンター６をコントロールして血尿便等の検査検体ラベルの印刷を行い、印刷されたラベルを送検検体試験管に貼付し、ラベルが試験管情報、検査結果とバインドされるので、検査情報の電子化を補助し、システムに入力できる。移動オペレーション端末５は取外し可能で、医療人員が手持ちで病室の巡回や患者情報の閲覧等を行い、操作も簡便で、医療救護の効率を高めることができる。
【００２４】
図３に示すように、前記筐体１は、異なる標高に適用するために筐体内外気圧を自動調節する防水気圧バランスバルブ８をさらに有する。前記筐体１の角部に補強リブ有し、防護性の高いデザインを採用して筐体を更に堅固にする。前記箱蓋２と筐体１の底部に４本のフランジを有し、多層積載時の簡便性と機械搬送過程での安定性を図る。
【００２５】
図２、３に示すように、前記筐体１と箱蓋２の間の取外し可能な接続が可動式留具１１であり、前記筐体１と箱蓋２の接合面と平行する面に沿って前記可動式留具１１の一側面にスルーホールを有する突出部１３を有し、もう一方の側面にストッパー１２を有するので、前記作業箱の長距離搬送時には前記筐体１と箱蓋２を固定接続するのに利用され、振動によって前記作業箱が開き、医療設備が損傷するのを防止する。前記突出部１３上のスルーホールを有する部分の外側が鉄板に覆われており、使用寿命を伸ばすことができる。
【００２６】
データコード固定装置７内に設置された充電ケーブルは延長コードを有し、延長コードは伸縮できて、充電が必要な時に延長コードを引き出し、外部の電源コンセントと接続する。充電が不要な時に、延長コードが巻き戻される。搬送を簡便にするため、前記引手１０は前記筐体１の底部の外側または内部に設置してよい。
【００２７】
実施例２
図４に示すように、実施例１と異なる所は箱蓋２が第１箱蓋と第２箱蓋の２つの部分に分割され、２つの箱蓋が共に接して筐体１を覆い、第１箱蓋と第２箱蓋の一端がそれぞれ前記筐体の相対する両側と可動接続され、もう一端が互いに合わさり、共に接している一端にそれぞれ１つの把手を有するので、簡便に開閉できる。箱蓋を２つに分割すると、開閉時に占めるスペースを減少出来る。
【００２８】
上記実施例では、作業箱の本体の材質はポリプロピレンポリマープラスチックで、防水、防塵、防虫、抗圧力等の性能で、作業箱が野外の厳しい利用環境と劣悪な運輸条件に耐えられる。
【００２９】
本明細書において、具体例を用いて発明に対し詳細な説明を行った。上記実施例の説明は、あくまで本発明の中心思想を理解するための説明である。本発明の趣旨を逸脱しない前提で、当業者が行った容易な変更、均等な置換およびその他の改良は、当然、本発明の請求の範囲に含まれるものとする。
【符号の説明】
【００３０】
１  筐体
２  箱蓋
３  携帯型モバイルオペレーション端末
４  医療オペレーション端末
５  移動オペレーション端末
６  ラベルプリンター
７  データコード固定装置
８  防水気圧バランスバルブ
９  車輪
１０  引手
１１  可動式留具
１２  ストッパー
１３  突出部
１４  持手部
【図１】
0003215883.tif 000003
【図２】
0003215883.tif 000004
【図３】
0003215883.tif 000005
【図４】
0003215883.tif 000006